(57)【特許請求の範囲】
【請求項１】
上面に複数のスイッチ接点が形成された絶縁基板と、この絶縁基板上に基体部が載置されると共に、上記スイッチ接点上方に、基体部との間が薄肉略ドーム形状の連結部で連結された第一の駆動部、及び複数の第二の駆動部を形成した弾性材料製の駆動体と、上記絶縁基板や上記駆動体を覆う下面開口のケースからなり、一端の軸部が上記駆動体の支持部と上記ケース下面の突出部との間または上記駆動体の支持部と上記絶縁基板との間に回動可能に保持され、他端の押圧部が上記第一の駆動部を押圧する押圧体を設けると共に、この押圧体の中間部を押圧する一体に形成された操作釦の外周に上記第二の駆動部を配置した押釦スイッチ。
【請求項２】
絶縁基板上面に複数の固定接点を設けると共に、駆動体の第一の駆動部及び第二の駆動部下面に、上記固定接点と所定の間隙を空けて対向する可動接点を設けた請求項１記載の押釦スイッチ。
【請求項３】
中央に操作釦が突出する貫通孔を有する周辺釦を揺動可能に設け、この周辺釦の揺動操作によって、操作釦下面外周の第二の駆動部を押圧する請求項１記載の押釦スイッチ。
【請求項４】
複数の支持部を設け、押圧体の軸部を複数の箇所で保持可能とした請求項１記載の押釦スイッチ。
【請求項５】
絶縁基板上面に、押圧体の軸部または中間部によって押圧されるスイッチ接点を配置した請求項１記載の押釦スイッチ。
【請求項６】
請求項１記載の押釦スイッチの駆動体の基体部に、複数の第三の駆動部を形成すると共に、この第三の駆動部下方の絶縁基板上面に、複数のスイッチ接点を設けた複合スイッチ。
【発明の詳細な説明】
【０００１】
【発明の属する技術分野】
本発明は、テレビ、ビデオ等の各種電子機器に使用される押釦スイッチ及びこれを用いた複合スイッチに関するものである。
【０００２】
【従来の技術】
近年、各種電子機器の高機能化や多様化が進む中、これらの操作に用いられる押釦スイッチにも、一つの操作釦で単独の機能の切換えを行うものに加え、複数の操作釦で画面上のカーソル等を上下左右に移動させた後、他の操作釦によってメニューの選択を行う等、多様な用途や形態のものが増えている。
【０００３】
このような従来の押釦スイッチについて、図１３〜図１５を用いて説明する。
【０００４】
図１３は従来の押釦スイッチの断面図、図１４は同分解斜視図であり、同図において、１は上下面に複数の導電パターン（図示せず）が形成された絶縁基板で、絶縁基板１の上面中央には一対の固定接点１Ａと、この外周に四組の固定接点１Ｂが等角度で放射線状に形成されている。
【０００５】
そして、２はゴム等の弾性材料製の駆動体で、略平板状の基体部２Ａが絶縁基板１上に載置されると共に、上方に突出する第一の駆動部２Ｂ、及び四つの第二の駆動部２Ｃが形成され、この第一の駆動部２Ｂ及び第二の駆動部２Ｃと基体部２Ａとの間は、各々薄肉略ドーム形状の連結部２Ｄ，２Ｅで連結されている。
【０００６】
また、第一の駆動部２Ｂと第二の駆動部２Ｃの下面には、各々固定接点１Ａ，１Ｂと所定の間隙を空けて対向する可動接点２Ｆ，２Ｇが形成されている。
【０００７】
そして、３は駆動体２を覆う下面開口の絶縁樹脂製のケースで、上面には五つの開口孔３Ａが設けられ、この開口孔３Ａから第一の駆動部２Ｂと第二の駆動部２Ｃが上方に突出して、押釦スイッチが構成されている。
【０００８】
以上の構成において、ケース３上面から突出した第一の駆動部２Ｂや第二の駆動部２Ｃの上面を押圧操作すると、図１５の断面図に示すように、第一の駆動部２Ｂや第二の駆動部２Ｃが連結部２Ｄや２Ｅを撓めながら下方へ移動し、下面の可動接点２Ｆや２Ｇが固定接点１Ａや１Ｂに接触して、一対の固定接点１Ａや１Ｂが電気的に接続される。
【０００９】
そして、押圧力を解除すると、駆動体２の連結部２Ｄや２Ｅの弾性復元力によって、可動接点２Ｆや２Ｇが固定接点１Ａや１Ｂから離れ、第一の駆動部２Ｂや第二の駆動部２Ｃが、図１３の中立位置に復元する。
【００１０】
なお、このような構成の押釦スイッチは、電子機器の操作パネル等に装着されて機器の電子回路に接続され、用途としては例えば、四つの第二の駆動部２Ｃのいずれかを押圧操作することによって、画面上のカーソル等を上下左右に移動させた後、第一の駆動部２Ｂの押圧操作によって、メニューの選択決定を行う等の使われ方をされるものであった。
【００１１】
【発明が解決しようとする課題】
しかしながら上記従来の押釦スイッチにおいては、第一の駆動部２Ｂや第二の駆動部２Ｃ、或いは連結部２Ｄや２Ｅの形状や厚さを変えることによって、押圧操作時の操作力や移動する操作ストロークの変更が多少は可能なものの、スイッチ全体の大きさや操作釦のレイアウト等の関係もあって、電子機器に装着された状態では本来異なる機能の操作に用いられる、第一の駆動部２Ｂと第二の駆動部２Ｃの操作力や操作ストロークを、大幅に異なるものとすることは困難であるという課題があった。
【００１２】
本発明は、このような従来の課題を解決するものであり、用いられる用途に合わせ、操作力や操作ストロークを様々に設定できる押釦スイッチ、及びこれを用いた複合スイッチを提供することを目的とする。
【００１３】
【課題を解決するための手段】
上記目的を達成するために本発明は、以下の構成を有するものである。
【００１４】
本発明の請求項１に記載の発明は、複数のスイッチ接点が形成された絶縁基板上に基体部が載置された弾性材料製の駆動体に、基体部との間が薄肉略ドーム形状の連結部で連結された第一の駆動部、及び複数の第二の駆動部を形成すると共に、一端の軸部が駆動体の支持部とケース下面の突出部との間または駆動体の支持部と絶縁基板との間に回動可能に保持され、他端の押圧部が第一の駆動部を押圧する押圧体を設け、この押圧体の中間部を押圧する一体に形成された操作釦の外周に第二の駆動部を配置して、押釦スイッチを構成したものであり、押圧体を介して第一の駆動部を操作釦で押圧することによって、直接押圧される第二の駆動部と比べ、操作釦の操作力や操作ストロークを大きく異なるものとすることができるため、様々な組合せの操作力や操作ストロークを設定できる押釦スイッチを得ることができるという作用を有する。
さらに、押圧体の中間部に、操作釦を一体に形成したことにより、構成部品数を減らし、組立ても容易で安価な押釦スイッチを得ることができるという作用を有する。
【００１５】
請求項２に記載の発明は、請求項１記載の発明において、絶縁基板上面に複数の固定接点を設けると共に、駆動体の第一の駆動部及び第二の駆動部下面に、固定接点と所定の間隙を空けて対向する可動接点を設けたものであり、スイッチ接点の構成を簡素なものとし、使用部品数も少なく安価な押釦スイッチが得られるという作用を有する。
【００１７】
請求項３に記載の発明は、請求項１記載の発明において、中央に操作釦が突出する貫通孔を有する周辺釦を揺動可能に設け、この周辺釦の揺動操作によって、操作釦下面外周の第二の駆動部を押圧するものであり、周辺釦を介して複数の第二の駆動部を押圧操作することによって、多少ずれた位置で押圧操作を行っても、その下方の第二の駆動部を確実に押圧操作できるため、操作し易く、使い勝手の良い押釦スイッチが得られるという作用を有する。
【００１８】
請求項４に記載の発明は、請求項１記載の発明において、複数の支持部を設け、押圧体の軸部を複数の箇所で保持可能としたものであり、押圧体の軸部を保持する支持部を複数個設けることで、同一の部品を用いて、操作釦の操作力と操作ストロークの設定を簡単に切換えることができるという作用を有する。
【００１９】
請求項５に記載の発明は、請求項１記載の発明において、絶縁基板上面に、押圧体の軸部または中間部によって押圧されるスイッチ接点を配置したものであり、このスイッチ接点は、駆動体の第一の駆動部や第二の駆動部によって切換えられるスイッチ接点とは異なるタイミングで切換えられるため、さらに多様な機能の切換えが可能な押釦スイッチが得られるという作用を有する。
【００２０】
請求項６に記載の発明は、請求項１記載の押釦スイッチの駆動体の基体部に、複数の第三の駆動部を形成すると共に、この第三の駆動部下方の絶縁基板上面に、複数のスイッチ接点を設けた複合スイッチとしたものであり、多様な操作機能を備え、構成部品が少なく、組立ても容易で安価な複合スイッチを実現することができるという作用を有する。
【００２１】
【発明の実施の形態】
以下、本発明の実施の形態について、図１〜図１２を用いて説明する。
【００２２】
なお、従来の技術の項で説明した構成と同一構成の部分には同一符号を付して、詳細な説明を省略する。
【００２３】
（実施の形態１）
実施の形態１及び後述する実施の形態２を用いて、本発明の特に請求項１及び２、５記載の発明について説明する。
【００２４】
図１は本発明の第１の実施の形態による押釦スイッチの断面図、図２は同分解斜視図、図３は同他の箇所での断面図であり、同図において１１は上下面に複数の導電パターン（図示せず）がカーボンインクや金属箔等によって形成された絶縁基板で、絶縁基板１１の上面には一対の固定接点１１Ａと、等角度で放射線状に形成された四組の固定接点１１Ｂが設けられている。
【００２５】
そして、１２はゴムやエラストマー等の弾性材料製の駆動体で、略平板状の基体部１２Ａが絶縁基板１１上に載置されると共に、上方に突出する第一の駆動部１２Ｂ、及び四つの第二の駆動部１２Ｃが形成され、この第一の駆動部１２Ｂ及び第二の駆動部１２Ｃと基体部１２Ａとの間は、各々薄肉略ドーム形状の連結部１２Ｄ，１２Ｅで連結されている。
【００２６】
また、第一の駆動部１２Ｂと第二の駆動部１２Ｃの下面には、各々固定接点１１Ａ，１１Ｂと所定の間隙を空けて対向する可動接点１２Ｆ，１２Ｇが、カーボンインク等によって形成されている。
【００２７】
そして、１３は絶縁樹脂製の押圧体、１４は同じく絶縁樹脂製の操作釦で、押圧体１３の一端の軸部１３Ａが、駆動体１２の略Ｕ字状の支持部１２Ｈに回動可能に保持されると共に、他端の押圧部１３Ｂが第一の駆動部１２Ｂ上面に当接し、中間部１３Ｃ上面には操作釦１４下面が当接している。
【００２８】
また、１５はこれらを覆う下面開口の絶縁樹脂製のケースで、上面には五つの開口孔１５Ａが設けられ、この開口孔１５Ａから操作釦１４、及びこの外周に等角度で放射線状に配置された四つの第二の駆動部１２Ｃが、上方に突出して押釦スイッチが構成されている。
【００２９】
以上の構成において、図３の中立位置から、ケース１５上面に突出した第二の駆動部１２Ｃの上面を押圧操作すると、図４の断面図に示すように、第二の駆動部１２Ｃが連結部１２Ｅを撓めながら下方へ移動し、下面の可動接点１２Ｇが固定接点１１Ｂに接触して、一対の固定接点１２Ｂが電気的に接続される。
【００３０】
そして、押圧力を解除すると、駆動体１２の連結部１２Ｅの弾性復元力によって、可動接点１２Ｇが固定接点１１Ｂから離れ、第二の駆動部１２Ｃが、図３の中立位置に復元する。
【００３１】
また、図１の中立位置から、ケース１５上面に突出した操作釦１４の上面を押圧操作すると、図５の断面図に示すように、操作釦１４下面が押圧体１３の中間部１３Ｃ上面を押圧するため、押圧体１３は支持部１２Ｈに保持された軸部１３Ａを支点として下方へ回動し、他端の押圧部１３Ｂが第一の駆動部１２Ｂ上面を押圧する。
【００３２】
この結果、第一の駆動部１２Ｂが連結部１２Ｄを撓めながら下方へ移動し、下面の可動接点１２Ｆが固定接点１１Ａに接触して、一対の固定接点１１Ａが電気的に接続され、押圧力を解除すると、駆動体１２の連結部１２Ｄの弾性復元力によって、第一の駆動部１２Ｂが上方に復元すると共に、これに押圧されて、押圧体１３及び操作釦１４も、図１の中立位置に復元する。
【００３３】
なお、この時、操作釦１４は、軸部１３Ａを支点として回動する押圧体１３の中間部１３Ｃを押圧し、他端の押圧部１３Ｂが第一の駆動部１２Ｂ上面を押圧するため、第一の駆動部１２Ｂを直接押圧操作する場合に比べ、操作釦１４の押圧操作時の操作力は大きく、移動する操作ストロークは小さなものとなる。
【００３４】
例えば、操作釦１４が押圧する中間部１３Ｃが押圧体１３のほぼ中央であった場合には、操作釦１４の操作力は、第一の駆動部１２Ｂを直接押圧操作した時のほぼ２倍、操作ストロークはほぼ半分となり、操作釦１４に押圧される中間部１３Ｃが軸部１３Ａに近づくほど、操作力は大きく操作ストロークは小さなものとなる。
【００３５】
なお、このような構成の押釦スイッチが、電子機器の操作パネル等に装着されて機器の電子回路に接続され、用途として例えば、四つの第二の駆動部１２Ｃのいずれかを押圧操作することによって、画面上のカーソル等を上下左右に移動させた後、操作釦１４の押圧操作によって、メニューの選択決定を行う等の使われ方をされることは、従来の技術の場合と同様である。
【００３６】
このように本実施の形態によれば、押圧体１３を介して第一の駆動部１２Ｂを操作釦１４で押圧することによって、直接押圧される第二の駆動部１２Ｃと比べ、操作釦１４の操作力や操作ストロークを大きく異なるものとすることができるため、様々な組合せの操作力や操作ストロークを設定できる押釦スイッチを得ることができるものである。
【００３７】
また、絶縁基板１１上面に複数の固定接点１１Ａ，１１Ｂを設けると共に、駆動体１２の第一の駆動部１２Ｂ及び第二の駆動部１２Ｃ下面に、固定接点１１Ａ，１１Ｂと所定の間隙を空けて対向する可動接点１２Ｆ，１２Ｇを設けることによって、スイッチ接点の構成を簡素なものとし、使用部品数も少なく安価なものとすることができる。
【００３８】
ただし、第一の駆動部１２Ｂ及び第二の駆動部１２Ｃ下面の可動接点１２Ｆ，１２Ｇに代えて、絶縁基板１１上面に可撓性を有する絶縁フィルムを所定の間隙を空けて貼付し、この絶縁フィルム下面に固定接点１１Ａ，１１Ｂと対向する複数の可動接点を形成して、この可動接点上面の絶縁フィルムを第一の駆動部１２Ｂや第二の駆動部１２Ｃで押圧する、所謂メンブレンタイプのスイッチ接点等としても、本発明の実施は可能である。
【００３９】
なお、以上の説明では、押圧体１３の一端の軸部１３Ａを、駆動体１２の支持部１２Ｈとケース１５下面の突出部との間に回動可能に保持した構成として説明したが、図６の断面図に示すように、駆動体１２下面に形成した支持部１２Ｊと絶縁基板１１上面との間に、押圧体１３の軸部１３Ａを保持する構成等としても本発明の実施は可能である。
【００４０】
また、図７の断面図に示すように、絶縁基板１１上面に、押圧体１３の軸部１３Ａまたは中間部１３Ｃによって押圧される、スイッチ接点としてのプッシュスイッチ１６を配置することによって、このプッシュスイッチ１６は、駆動体１２の第一の駆動部１２Ｂや第二の駆動部１２Ｃにより切換えられるスイッチ接点とは異なるタイミングで切換えられるため、さらに多様な機能の切換が可能な押釦スイッチとすることもできる。
【００４１】
（実施の形態２）
実施の形態２を用いて、本発明の特に請求項１記載の発明について説明する。
【００４２】
なお、実施の形態１の構成と同一構成の部分には同一符号を付して、詳細な説明を省略する。
【００４３】
図８は本発明の第２の実施の形態による押釦スイッチの断面図であり、同図において、絶縁基板１１上面に固定接点１１Ａが設けられていることや、駆動体１２の基体部１２Ａが絶縁基板１１上に載置され、駆動体１２上面に、基体部１２Ａとの間が薄肉略ドーム形状の連結部１２Ｄで連結された第一の駆動部１２Ｂ、及び四つの第二の駆動部１２Ｃが形成されていることは、実施の形態１の場合と同様である。
【００４４】
また、第一の駆動部１２Ｂ下面に、固定接点１１Ａと所定の間隙を空けて対向する可動接点１２Ｆが形成されていることも、実施の形態１の場合と同様であるが、操作釦は操作部１７Ｄとして押圧体１７の中間部１７Ｃ上面に一体に形成されているため、スイッチとしての構成部品数が少なく、組立ても容易に行うことが可能なように構成されている。
【００４５】
そして、この押圧体１７の軸部１７Ａが駆動体１２の支持部１２Ｈに回動可能に保持されていることや、押圧部１７Ｂが第一の駆動部１２Ｂ上面に当接していること、ケース１５の開口孔１５Ａから押圧体１７の操作部１７Ｄや、第二の駆動部１２Ｃが上方に突出して押釦スイッチが構成されていることは、実施の形態１の場合と同様である。
【００４６】
以上の構成において、ケース１５上面に突出した操作部１７Ｄ上面を押圧操作すると、操作部１７Ｄを一体成形した押圧体１７が、一端の軸部１７Ａを支点として下方へ回動し、他端の押圧部１７Ｂが第一の駆動部１２Ｂ上面を押圧する。
【００４７】
そして、第一の駆動部１２Ｂが連結部１２Ｄを撓めながら下方へ移動し、下面の可動接点１２Ｆが固定接点１１Ａに接触して、可動接点１２Ｆを介した固定接点１１Ａの電気的接続が行われ、押圧力を解除すると、駆動体１２の連結部１２Ｄの弾性復元力によって、第一の駆動部１２Ｂが上方に復元すると共に、これに押圧されて押圧体１７も元の位置に復元する。
【００４８】
このように本実施の形態によれば、押圧体１７の中間部１７Ｃに、操作釦を操作部１７Ｄとして一体に形成することによって、構成部品数を減らし、組立ても容易で安価な押釦スイッチを得ることができるものである。
【００４９】
（実施の形態３）
実施の形態３を用いて、本発明の特に請求項３及び４記載の発明について説明する。
【００５０】
なお、実施の形態１の構成と同一構成の部分には同一符号を付して、詳細な説明を省略する。
【００５１】
図９は本発明の第３の実施の形態による押釦スイッチの断面図、図１０は同他の箇所での断面図であり、同図において、絶縁基板１１上面に固定接点１１Ａと四組の固定接点１１Ｂが設けられていることや、駆動体１８の基体部１８Ａが絶縁基板１１上に載置され、駆動体１８上面に、基体部１８Ａとの間が薄肉略ドーム形状の連結部１８Ｄ，１８Ｅで連結された第一の駆動部１８Ｂ、及び四つの第二の駆動部１８Ｃが形成されていることは、実施の形態１の場合と同様である。
【００５２】
また、第一の駆動部１８Ｂと第二の駆動部１８Ｃ下面に、各々固定接点１１Ａ，１１Ｂと所定の間隙を空けて対向する可動接点１８Ｆ，１８Ｇが形成されていることや、押圧体１３の一端の軸部１３Ａが、駆動体１８の略Ｕ字状の支持部１８Ｈに回動可能に保持されると共に、他端の押圧部１３Ｂが第一の駆動部１８Ｂ上面に当接し、中間部１３Ｃ上面には操作釦１９の下面が当接していることも、実施の形態１の場合と同様である。
【００５３】
そして、これらをケース２０が覆い、このケース２０の開口孔２０Ａから操作釦１９が上方に突出していることも、実施の形態１の場合と同様であるが、開口孔２０Ａには係合爪２０Ｂが設けられ、この係合爪２０Ｂに絶縁樹脂製の周辺釦２１の中央部が、揺動可能に装着されている。
【００５４】
また、周辺釦２１中央の貫通孔２１Ａからは操作釦１９が突出し、周辺釦２１の下面外周に設けられた四つの突起部２１Ｂが、操作釦１９の外周に等角度で放射線状に配置された四つの第二の駆動部１８Ｃ上面に当接して、押圧スイッチが構成されている。
【００５５】
以上の構成において、図９の中立位置から、操作釦１９上面を押圧操作すると、押圧体１３が軸部１３Ａを支点として下方へ回動し、押圧部１３Ｂが第一の駆動部１８Ｂ上面を押圧して、可動接点１８Ｆを介した固定接点１１Ａの電気的接続が行われることは、実施の形態１の場合と同様であるが、第二の駆動部１８Ｃの押圧操作は、周辺釦２１の揺動操作によって行われる。
【００５６】
つまり、図１０の中立位置から、例えば周辺釦２１の右上面を押圧すると、ケース２０の係合爪２０Ｂに係合した中央部下面を支点として周辺釦２１が揺動し、下面外周の突起部２１Ｂが第二の駆動部１８Ｃ上面を押圧するため、第二の駆動部１８Ｃが連結部１８Ｅを撓めながら下方へ移動し、下面の可動接点１８Ｇを介して固定接点１１Ｂの電気的接続が行われる。
【００５７】
そして、このような構成の押釦スイッチが、電子機器の操作パネル等に装着されて機器の電子回路に接続され、用途として例えば、画面上のカーソル等を上下左右に移動させる場合には、個々の第二の駆動部１８Ｃの押圧操作に代えて、周辺釦２１の揺動操作によって、これが行われる。
【００５８】
つまり、各々の第二の駆動部１８Ｃが配置された周辺釦２１上面には、上下左右方向等を示すマーキングが表示されており、このマーキング付近の周辺釦２１上面を押圧し、周辺釦２１を揺動操作させることによって、下方に配置された第二の駆動部１８Ｃが押圧操作されて、カーソルの移動等が行われる。
【００５９】
そして、この後、中央の操作釦１９の押圧操作によって、メニューの選択決定を行う等の使われ方をされることは、実施の形態１の場合と同様である。
【００６０】
このように本実施の形態によれば、中央に操作釦１９が突出する貫通孔２１Ａを有する周辺釦２１を設け、この周辺釦２１の揺動操作により、操作釦２１外周の第二の駆動部１８Ｃを押圧することによって、周辺釦２１上面の多少ずれた位置で押圧操作を行っても、その下方の第二の駆動部１８Ｃを確実に押圧操作できるため、操作し易く、使い勝手の良い押釦スイッチを得ることができるものである。
【００６１】
また、図１１の断面図に示すように、駆動体１８に複数の略Ｕ字状の支持部１８Ｊを設け、押圧体１３の軸部１３Ａを複数の箇所で保持可能なように構成すれば、スイッチ組立て時に軸部１３Ａを挿入する支持部１８Ｊを変えるだけで、同一の部品を用いて、操作釦１９の操作力と操作ストロークの設定を簡単に切換えることができる。
【００６２】
（実施の形態４）
実施の形態４を用いて、本発明の特に請求項６記載の発明について説明する。
【００６３】
なお、実施の形態１の構成と同一構成の部分には同一符号を付して、詳細な説明を省略する。
【００６４】
図１２は本発明の第３の実施の形態による複合スイッチの分解斜視図であり、同図において、絶縁基板２２の上面に、固定接点２２Ａと四組の固定接点２２Ｂが設けられていることや、駆動体２３の基体部２３Ａ上面に、第一の駆動部２３Ｂ、及び四つの第二の駆動部２３Ｃが形成されていることは、実施の形態１の場合と同様である。
【００６５】
また、押圧体１３の一端の軸部１３Ａが駆動体２３に回動可能に保持されていることや、他端の押圧部１３Ｂが第一の駆動部２３Ｂ上面に当接し、中間部１３Ｃ上面に操作釦１４下面が当接していることも、実施の形態１の場合と同様であるが、駆動体２３の基体部２３Ａ上面には、第一の駆動部２３Ｂや第二の駆動部２３Ｃと同様の、複数の第三の駆動部２３Ｄが形成されている。
【００６６】
そして、この第三の駆動部２３Ｄの下面には、各々可動接点（図示せず）が形成されると共に、下方の絶縁基板２２上面には、この可動接点と所定の間隙を空けて対向する固定接点２２Ｃが形成され、これらを覆うケース２４の開口孔２４Ａからは操作釦１４と第二の駆動部２３Ｃが、開口孔２４Ｂからは複数の第三の駆動部２３Ｄが各々上方に突出して、複合スイッチが構成されている。
【００６７】
このような構成の複合スイッチが、電子機器の操作パネル等に装着されて機器の電子回路に接続され、第二の駆動部２３Ｃを押圧操作して画面上のカーソル等を上下左右に移動させたり、操作釦１４を押圧操作してメニューの選択決定を行う等の使われ方をされることは、実施の形態１の場合と同様であるが、第三の駆動部２３Ｄの押圧操作によって、機器のこれ以外の各種機能の切換を行うことも可能である。
【００６８】
このように本実施の形態によれば、駆動体２３の基体部２３Ａに、複数の第三の駆動部２３Ｄを形成すると共に、この第三の駆動部２３Ｄ下方の絶縁基板２２上面に、複数のスイッチ接点を設けて複合スイッチを構成することによって、多様な操作機能を備え、構成部品が少なく、組立ても容易で安価な複合スイッチを実現することができるものである。
【００６９】
なお、以上の説明では、押釦スイッチや複合スイッチを、電子機器の操作パネル等に装着し機器の電子回路に接続するものとして説明したが、絶縁基板１１や２２に電子部品を実装して送信回路等を構成し、電子機器とは別体のリモコン送信機等として構成しても本発明の実施は可能である。
【００７０】
【発明の効果】
以上のように本発明によれば、様々な組合せの操作力や操作ストロークを設定できる押釦スイッチ、及びこれを用いた複合スイッチを得ることができるという有利な効果が得られる。
【図面の簡単な説明】
【図１】本発明の第１の実施の形態による押釦スイッチの断面図
【図２】同分解斜視図
【図３】同他の箇所での断面図
【図４】同操作時の断面図
【図５】同操作時の断面図
【図６】同他の実施の形態による断面図
【図７】同他の実施の形態による断面図
【図８】本発明の第２の実施の形態による押釦スイッチの断面図
【図９】本発明の第３の実施の形態による押釦スイッチの断面図
【図１０】同他の箇所での断面図
【図１１】同他の実施の形態による断面図
【図１２】本発明の第３の実施の形態による複合スイッチの分解斜視図
【図１３】従来の押釦スイッチの断面図
【図１４】同分解斜視図
【図１５】同操作時の断面図
【符号の説明】
１１，２２  絶縁基板
１１Ａ，１１Ｂ，２２Ａ，２２Ｂ，２２Ｃ  固定接点
１２，１８，２３  駆動体
１２Ａ，１８Ａ，２３Ａ  基体部
１２Ｂ，１８Ｂ，２３Ｂ  第一の駆動部
１２Ｃ，１８Ｃ，２３Ｃ  第二の駆動部
１２Ｄ，１２Ｅ，１８Ｄ，１８Ｅ  連結部
１２Ｆ，１２Ｇ，１８Ｆ，１８Ｇ  可動接点
１２Ｈ，１２Ｊ，１８Ｈ，１８Ｊ  支持部
１３，１７  押圧体
１３Ａ，１７Ａ  軸部
１３Ｂ，１７Ｂ  押圧部
１３Ｃ，１７Ｃ  中間部
１４，１９  操作釦
１５，２０，２４  ケース
１５Ａ，２０Ａ，２４Ａ，２４Ｂ  開口孔
１６  プッシュスイッチ
１７Ｄ  操作部
２０Ｂ  係合爪
２１  周辺釦
２１Ａ  貫通孔
２１Ｂ  突起部
２３Ｄ  第三の駆動部
【図１】
0003941357.tif 000002
【図２】
0003941357.tif 000003
【図３】
0003941357.tif 000004
【図４】
0003941357.tif 000005
【図５】
0003941357.tif 000006
【図６】
0003941357.tif 000007
【図７】
0003941357.tif 000008
【図８】
0003941357.tif 000009
【図９】
0003941357.tif 000010
【図１０】
0003941357.tif 000011
【図１１】
0003941357.tif 000012
【図１２】
0003941357.tif 000013
【図１３】
0003941357.tif 000014
【図１４】
0003941357.tif 000015
【図１５】
0003941357.tif 000016